(57)【特許請求の範囲】
【請求項１】
橋梁の鋼製桁（１）のフランジ（11）上面に所定ピッチで立設させたネジ部を有する突起物（２）と、該突起物（２）にセットした支持板(５)と、その支持板(５)上面に配置すると共に前記突起物（２）付近まで配置した立体溶接鉄筋（31）の下部にコンクリート版(32)を一体に形成させたコンクリート版付き立体トラス（３）と、前記突起物（２）を挟んで対向するコンクリート版付き立体トラス（３）同士の立体溶接鉄筋（31）内へ押し込んで接続させると共に前記突起物（２）に接触しないように配置した接続用のＵ字筋（４）とから少なくとも構成させ、且つコンクリートで前記立体溶接鉄筋（31）間を一体化してハンチ付きの床版が形成される構造としたことを特徴とする橋桁に於けるコンクリート版付き立体トラスを用いた床版の結合構造。
【請求項２】
前記支持板（５）の断面がコの字状であり、その開口を下方に向けた際の両側辺には、ハンチの外形位置にセットした側板（９）の上部が着脱可能となる取付ボルト（７）を水平に突出させて固着し、且つ前記側板（９）の下部が着脱可能となる固定ボルト（８）をフランジ（11）下面に突設させた請求項１記載の橋桁に於けるコンクリート版付き立体トラスを用いた床版の結合構造。
【請求項３】
前記支持板（５）の取付け高さが、その上下面に取付けた高さ調節ナット（６）で調節可能と成す請求項１記載の橋桁に於けるコンクリート版付き立体トラスを用いた床版の結合構造。
【請求項４】
前記コンクリート版付き立体トラス（３）を前記支持板（５）の上面に配置して敷設する際、前記支持板（５）の上面にコンクリート版(32)を載置させるか或いは立体溶接鉄筋（31）を載置させる請求項１記載の橋桁に於けるコンクリート版付き立体トラスを用いた床版の結合構造。
【請求項５】
前記コンクリート版(32)の端部に、前記側板（９）の上部と当接する突部（321）が形成されたものを用いる請求項１記載の橋桁に於けるコンクリート版付き立体トラスを用いた床版の結合構造。
【発明の詳細な説明】
【０００１】
【発明の属する技術分野】
本発明は道路の幅が二車線程度の橋床を施工する際の橋桁に於けるコンクリート版付き立体トラスを用いた床版の結合構造に関する。
【０００２】
【従来の技術】
従来の橋床の施工方法としては、橋桁の上に橋床用の木製型枠を現場で組立て、且つ鉄筋の配筋作業を行い、その後、コンクリート打設・養生を行ってから木製型枠の解体及び撤去作業が行われて橋床を形成させていた。
【０００３】
【発明が解決しようとする課題】
しかしながら前記橋床を形成する場合は型枠に木を使用するため、不要になった木製型枠の材料が多数発生し、その廃棄処分が必要となり、環境問題を生じていた。また現場で木製型枠の組立作業や鉄筋配筋作業が行われるため、施工期間が天候に左右され、且つ多くの作業員が必要であった。更にコンクリート打設・養生後、木製型枠の解体及び撤去作業を行うので、工期短縮やコスト削減及び省力化などが困難である等の問題点があった。
【０００４】
本発明は簡単な作業で且つ施工の合理化を図るために、本発明者が特願平１１−１６９０９９号, 特願平１１−１８４６４３号で提案した「橋床などの土木用のコンクリート捨て型枠付き立体トラス」を使用した場合、それが簡単で且つ強固に形成出来る床版の結合構造を提供することを目的とする。
【０００５】
【課題を解決するための手段】
上記問題点を解決するために本発明は成されたものであり、つまり、鋼製桁のフランジ上面に立設させたネジ部を有する突起物と、突起物にセットした支持板と、その上に配置させた立体溶接鉄筋の下部にコンクリート版を一体に形成したコンクリート版付き立体トラスと、突起物を挟んで対向する立体溶接鉄筋同士の内部へ押し込んで接続させると共に突起物に接触しないように配置させた接続用のＵ字筋とから少なくとも構成させ、且つコンクリートで立体溶接鉄筋間を一体化してハンチ付きの床版が形成された構造としても良い。
【０００６】
【発明の実施の形態】
図３〜図５は本発明の実施形態を示す図であり、この図面に基づいて説明する。(１)は橋梁の鋼製桁であり、該鋼製桁（１）としてはＨ形鋼を用いる。尚、前記鋼製桁（１）の上下にフランジ（11）が来るようにセットされている。(２)は鋼製桁（１）のフランジ（11）上面に所定ピッチで多数取付けられたネジ部を有する突起物であり、該突起物（２）としては、スタッドボルトやネジ棒などを用いると良い。前記所定ピッチとしては後述するＵ字筋（４）の中間位置とする（図４参照）。また突起物(２)は、鋼製桁（１）を準備する際に、予め工場に於いて鋼製桁（１）のフランジ（11）上面に溶接して立設させておく。（３）は立体溶接鉄筋（31）の下部にコンクリート打設して所定厚さのコンクリート版(32)を一体に形成させたコンクリート版付き立体トラスであり、これは工場で仕上げたものを現場に持ち込む。尚、この時、コンクリート構造物で必要な鉄筋からの厚さ分、つまり、底面から下方の鉄筋までの距離を３cm以上確保しておく（図６、図７参照）。又、前記コンクリート版付き立体トラス(３)は本発明者が特願平１１−１６９０９９号,
特願平１１−１８４６４３号で提案した「橋床などの土木用のコンクリート捨て型枠付き立体トラス」を使用すると良い。尚、コンクリート版付き立体トラス（３）のコンクリート版(32)の端部に、コンクリート打設時に用いる側板（９）の上部と当接する突部（321）を形成させたものを用いると良い（図５、図７参照）。(４)はコンクリート鉄筋がＵ字状に折曲された接続用のＵ字筋であり、該Ｕ字筋（４）は予め工場に於いて、コンクリート版付き立体トラス（３）が完成後、その長手方向の各縦筋間へ引出し可能に差し込んでおくと良い。この時、Ｕ字筋（４）には弾性を持たせ、若干開口側が縮められた状態でセットしておくと良い。
【０００７】
（５）は突起物（２）にセットした支持板であり、該支持板（５）は金属板を折曲してコの字状に形成させるか或いは既存の型鋼を用いる。また支持板（５）の上面には突起物（２）挿入用の穴が穿設されている。尚、折曲する形状や型鋼の形状はコの字状に限定されるものではない。(６)は突起物（２）のネジ部に螺合する高さ調節ナットであり、該高さ調節ナット（６）は支持板（５）の上面と下面に取付ける。（７）は支持板（５）の開口を下方に向けた際、その両側面から水平に突出させて固着した複数本の取付ボルトであり、該取付ボルト（７）はハンチの外形位置にセットした後述する側板（９）の上部を着脱可能に取付ける。尚、前記取付ボルト（７）の代りにネジ棒を使用しても良い。（８）はフランジ（11）下面から垂直に突出させた固定ボルトであり、該固定ボルト(８)は側板（９）の下部を着脱可能に取付ける。尚、取付ボルト（７）は予め工場に於いて固着させると共に固定ボルト(８)も突起物（２）と一緒に固着させると良い。（９）は金属板を折曲して略々Ｓの字状及び逆Ｓの字状に形成した２枚から成る側板であり、該側板（９）はハンチが形成後に取外される。
【０００８】
次に本実施形態の橋桁に於けるコンクリート版付き立体トラス（３）を用いたハンチ付き床版の施工方法について説明する。予め工場でコンクリート版付き立体トラス（３）を製作すると共にＵ字筋（４）を長手方向の各縦筋間へ引出し可能に差し込んでおく。また鋼製桁（１）を加工する工場に於いては、鋼製桁（１）のフランジ（11）上面に突起物(２)を所定ピッチで溶接して立設させておくと共に前記フランジ（11）下面に固定ボルト(８)を所定ピッチで固着させておく。先ず始めに各突起物（２）のネジ部に高さ調節ナット（６）を１個螺合させておき、その上へ所定長さの支持板(５)を被せて取付けると共に各突起物（２）に高さ調節ナット（６）を１個螺合させて支持板(５)の上面が所定高さになるようにセットする。そして次の支持板(５)も同様にセットするが、各支持板(５)間にはコンクリート打設が可能となるように隙間を設けてセットさせる（図４参照）。次に支持板(５)から突出する取付ボルト（７）で側板（９）上部を固定し、側板（９）下部を固定ボルト(８)で固定させる。
【０００９】
その後、コンクリート版付き立体トラス（３）を支持板(５)上面に配置して敷設する。この時、図３に示すようにコンクリート版(32)の端部を載せる場合と、図５に示すように立体溶接鉄筋（31）の端部を載せる場合とがある。敷設後、コンクリート版付き立体トラス（３）内部からＵ字筋（４）を引出し、隣接するコンクリート版付き立体トラス（３）の配筋内へ押し込むと共に前記Ｕ字筋（４）が突起物（２）の間に配置されているか確認する。前記要領でコンクリート版付き立体トラス（３）を全てセットさせる。その後、コンクリート版付き立体トラス（３）の立体溶接鉄筋（31）にコンクリート打設し、各コンクリート版付き立体トラス（３）を一体化してハンチ付きの床版が形成されるのである。
【００１０】
この時、隣接するコンクリート版付き立体トラス（３）の立体溶接鉄筋（31）同士はＵ字筋（４）で接続され、且つＵ字筋（４）と突起物(２)は接触しないように離れた状態であるが、コンクリートが固化すると、突起物(２)が鋼製桁（１）に固定しているので、コンクリート版付き立体トラス（３）同士が連結されると共に立体溶接鉄筋(31)は突起物(２)を介在させて鋼製桁（１）とも固定して、浮き上がらないようにしっかりと一体化する。又、風雨にさらされた鋼製桁（１）がさびて突起物(２)もさびたとしても、そのさびは立体溶接鉄筋(31)まで広がらず、強度が低下しない床版としての役目が果たせるものとなるのである。尚、コンクリート固化後、前記側板（９）の上部は取付ボルト（７）から外され、下部は固定ボルト（８）から外されて前記側板（９）は撤去される。
【００１１】
図１，図２の他の実施形態の橋桁に於けるコンクリート版付き立体トラス（３）を用いた床版の施工方法の場合、上記同様に予め工場でコンクリート版付き立体トラス（３）を製作すると共にＵ字筋（４）を長手方向の各縦筋間へ引出し可能に差し込んでおく。また鋼製桁（１）を加工する工場に於いては、鋼製桁（１）のフランジ（11）上面に突起物(２)を所定ピッチで溶接して立設させておく。先ず始めに、コンクリート版付き立体トラス（３）を鋼製桁（１）間のフランジ（11）上面に配置して敷設する。敷設後、コンクリート版付き立体トラス（３）にＵ字筋（４）を引出し、隣接するコンクリート版付き立体トラス（３）の配筋内へ押し込むと共に前記Ｕ字筋（４）が突起物（２）の間に配置されているか確認する。前記要領でコンクリート版付き立体トラス（３）を全てセットさせる。その後、コンクリート版付き立体トラス（３）の立体溶接鉄筋（31）にコンクリート打設し、所定厚さの鉄筋コンクリート床が得られると共に各コンクリート版付き立体トラス（３）を一体化させて床版が形成されるのである。
【００１２】
【発明の効果】
本発明はこのように構成させたことにより、下記に記載する効果を有する。
【００１３】
請求項１のように鋼製桁（１）のフランジ（11）上面に立設させたネジ部を有する突起物（２）と、突起物（２）にセットした支持板(５)と、フランジ（11）上面に配置する立体溶接鉄筋（31）の下部にコンクリート版(32)を一体に形成させたコンクリート版付き立体トラス（３）と、立体溶接鉄筋（31）内へ押し込んで接続させるＵ字筋（４）とから少なくとも構成させ、且つコンクリートで立体溶接鉄筋（31）間を一体化してハンチ付きの床版が形成される構造とすることにより、コンクリート版付き立体トラス（３）のコンクリート版（32）は作業床兼用の捨て型枠として使用出来るため、橋梁を構成する床版等の型枠仮設作業が省略でき、且つ鉄筋配筋作業の効率化も促進され、従来のハンチ付き床版の結合構造を施工する際、省力化,工期短縮,コスト削減等の効果が発揮される。しかも床版の結合構造が従来の如き木製型枠の組立作業や鉄筋配筋作業が現場で行われるそれらの作業を不要とし、且つ多くの作業員も不要となると共に工期短縮やコスト削減及び省力化などが可能となる。又、コンクリート打設・養生後、木製型枠の解体及び撤去作業が殆どなくなり、木製型枠の廃棄処理も不要となるため、森林資源の保護に貢献できるものとなる。
【００１４】
請求項２のように支持板（５）の断面をコの字状とし、その開口を下方に向けた際の両側辺には、ハンチの外形位置にセットした側板（９）の上部が着脱可能となる取付ボルト（７）を水平に突出させて固着し、且つ側板（９）の下部が着脱可能となる固定ボルト（８）をフランジ（11）下面に突設させることにより、ハンチ外形位置に取付ける金属製の側板（９）が左右に分離して着脱可能にハンチ用の型枠として用いることが出来るものとなる。
【００１５】
請求項３に示すように支持板（５）の取付け高さが、その上下面に取付けた高さ調節ナット（６）で簡単に高さ調節が可能となるため、ハンチの高さなどの変化に対応可能なものとなる。
【００１６】
請求項4に示すようにコンクリート版付き立体トラス（３）を支持板（５）の上面にコンクリート版(32)を載置させると、安定した残存型枠として使用出来ると共に作業用の床板としても兼用出来るものとなる。一方、支持板（５）の上面に立体溶接鉄筋（31）を載置させると、コンクリート版(32)より安定性は低下するが、残存型枠及び作業用の床板として使用でき、特にコンクリート打設時に於いては、鉄筋材からハンチ内部が見えてコンクリートの充填具合が良く分かると共にコンクリートの流れも良いものとなる。
【００１７】
請求項５のようにコンクリート版(32)の端部に、側板（９）の上部と当接する突部（321）が形成されたものを用いると、コンクリート打設時に側板（９）の上部から外にコンクリートが回り込む恐れが殆どなくなり、仕上がりがきれいなものとなる。
【図面の簡単な説明】
【図１】  本発明の他の実施形態の要部を示す断面図である。
【図２】  本発明の他の実施形態の要部構造を示す説明図である。
【図３】  本発明の実施形態の要部を示す断面図である。
【図４】  本実施形態のハンチ付き床版の要部構造を示す説明図である。
【図５】  本実施形態の別の要部を示す断面図である。
【図６】  本実施形態で使用するコンクリート版付き立体トラスを示す説明図である。
【図７】  別実施形態で使用するコンクリート版付き立体トラスを示す説明図である。
【符号の説明】
１  鋼製桁
11  フランジ
２  突起物
３  コンクリート版付き立体トラス
31  立体溶接鉄筋
32  コンクリート版
321  突部
４  Ｕ字筋
５  支持板
６  高さ調節ナット
７  取付ボルト
８  固定ボルト
９  側板
【図１】
0003881135.tif 000002
【図２】
0003881135.tif 000003
【図３】
0003881135.tif 000004
【図４】
0003881135.tif 000005
【図５】
0003881135.tif 000006
【図６】
0003881135.tif 000007
【図７】
0003881135.tif 000008